(57)【特許請求の範囲】
【請求項１】
複数の点光源がライン状に配列された光源ユニットを間引き配置して成る照明装置であって、
前記点光源は一端側から順に送り点灯され、かつ、隣り合う前記光源ユニットが順次送り点灯されるように構成されており、
前記各光源ユニットは、その長手方向端部の点光源からの照射光を該光源ユニットの端部の外側に向けて照射させる外方照射手段を備え、
隣り合う前記光源ユニットの対向する端部の点光源が、前記外方照射手段により照射方向を外側向けにされて、両光源ユニットの間の同じ領域を照明することを特徴とする照明装置。
【請求項２】
前記外方照射手段は光偏向素子であることを特徴とする請求項１に記載の照明装置。
【請求項３】
前記外方照射手段は、前記光源ユニットの長手方向端部の上面を外方向に傾けることによって構成していることを特徴とする請求項１に記載の照明装置。
【発明の詳細な説明】
【技術分野】
【０００１】
本発明は、複数の点光源がライン状に配列された光源ユニットから成る照明装置に関する。
【背景技術】
【０００２】
従来から、複数のＬＥＤ素子がライン状に配列された光源ユニットが知られている（例えば、特許文献１及び特許文献２参照）。特許文献１に記載された光源ユニットは、長手方向の端部に備えられた電力供給線のソケットとブラケット同士を接続し、多数のユニットが連結された長尺の照明装置として用いることができる。特許文献２に記載の光源ユニットは、凸面状に湾曲された取付面上に多数のＬＥＤがライン状に配列されて取付けられており、このような構造の光源ユニットがケース内に複数収納されてフラッドライトを構成するようになっている。
【特許文献１】特開２００６−２３６８９５号公報
【特許文献２】特開２００３−２８１９０５号公報
【発明の開示】
【発明が解決しようとする課題】
【０００３】
上記のように多数の光源ユニットが長手方向に連結されて成る照明装置は、光源であるＬＥＤ素子を一端側から順に送り点灯することによって、ユーザからは壁面や床等の略線状に照明される部分が連続的に移動しているように見え、ショウウインド内の照明や、舞台等の照明として用いて特殊な演出効果を期待することができる。
【０００４】
一方、設置コストを低減するために、光源ユニット間を所定長さのコードを介して接続して照明装置を構成する光源ユニットの台数を少なくする場合がある。光源ユニットが床上に間引いて配置された例を図６に示す。この例では、長手方向の長さが２０〜３０ｃｍの光源ユニット１０１が、同じく２０〜３０ｃｍ程度のコード１０２によって互いに離間して接続されて線状に延びる長い照明装置１００を構成している。そして、各光源ユニット１０１のＬＥＤ素子は、一端側から順に送り点灯され、隣り合う光源ユニット１０１間においても送り点灯される。具体的には、図６においてＬＥＤ素子が出射した光を示す矢印に付したアルファベットａ、ｂ、ｃ、ｄ・・の順に照射される。
【０００５】
ここで、各光ａ、ｂ、ｃ、ｄ・・による照明部分は、光源ユニット１０１がコード１０２を介さずに連続して接続されている場合には水平方向にほぼ等間隔になり、各光ａ、ｂ、ｃ、ｄ・・が順に照射されると、照明された部分が左から右へほぼ連続的に移動するが、図６に示すように光源ユニット１０１同士が離間している場合には、光ｅと光ｆによる照明部分、及び光ｊと光ｋによる照明部分が大きく離れるので、照明された部分が連続的に移動するようには見えず、光ｅの照射と光ｆの照射の間、及び光ｊの照射と光ｋの照射の間において光の移動の連続性が途切れてしまい演出効果が大きく減殺されるという問題がある。
【０００６】
そこで、本発明は、設置コストを低減するために光源ユニットを間引いて配置して成る照明装置であっても、各光源ユニットの点光源を順次送り点灯するときに各点光源による照明部分が連続的に移動するように見える照明装置を提供することを目的とする。
【課題を解決するための手段】
【０００７】
上記目的を達成するために、請求項１の発明は、複数の点光源がライン状に配列された光源ユニットを間引き配置して成る照明装置であって、前記点光源は一端側から順に送り点灯され、かつ、隣り合う前記光源ユニットが順次送り点灯されるように構成されており、前記各光源ユニットは、その長手方向端部の点光源からの照射光を該光源ユニットの端部の外側に向けて照射させる外方照射手段を備え、隣り合う前記光源ユニットの対向する端部の点光源が、前記外方照射手段により照射方向を外側向けにされて、両光源ユニットの間の同じ領域を照明することを特徴とする。
【０００８】
請求項２の発明は、請求項１に記載の照明装置において、前記外方照射手段は光偏向素子であることを特徴とする。
【０００９】
請求項３の発明は、請求項１に記載の照明装置において、前記外方照射手段は、前記光源ユニットの長手方向端部の上面を外方向に傾けることによって構成していることを特徴とする。
【発明の効果】
【００１０】
請求項１の発明によれば、各光源ユニットの長手方向端部の点光源からの照射光が外方照射手段によって外側に向けて照射されるので、光源ユニットが間引いて配置されていても各点光源が送り点灯されたときに照射光による照明部分がほぼ連続的に移動するように見える。
【００１１】
請求項２の発明によれば、外方照射手段が光偏向素子であるので、偏向特性が異なる光偏向素子を用いることによって各光源ユニットの長手方向端部の点光源からの照射光の外側に向かう角度を容易に変更することができる。
【００１２】
請求項３の発明によれば、外方照射手段の構造が簡単となり照明装置を低コストで製造することができる。
【発明を実施するための最良の形態】
【００１３】
（第１の実施形態）
本発明の第１の実施形態に係る照明装置について、図１乃至図３を参照して説明する。本実施形態の照明装置１は、図１、２に示されるように、複数の光源ユニット２を間引き配置して成り、各光源ユニット２は、ライン状に配列された複数のＬＥＤ素子５ａ、５ｂ、５ｃ・・５ｚ（点光源）を有する。また、各光源ユニット２は、細長い直方体の筐体３と、実質的に筐体３の上面を構成し点光源が配設されたプリント基板４と、プリント基板４の下面に搭載されたＬＥＤ素子の点灯制御装置６と、筐体３の両端部に設けられたプリズム部材７（外方照射手段、光偏向素子）と、を備える。光源ユニット２同士は、電源供給及び信号伝送用のコード８によって接続されている。
【００１４】
各ＬＥＤ素子５ａ、５ｂ、５ｃ・・５ｚは、点灯制御装置６によって、光源ユニット２の一端側（図１、２の左側）から他端側（図１、２の右側）へ向かって順に送り点灯され、かつ、隣り合う光源ユニット２の各ＬＥＤ素子５ａ、５ｂ、５ｃ・・５ｚが順に送り点灯される。具体的には、左端の光源ユニット２のＬＥＤ素子５ａ、５ｂ、５ｃ・・５ｚ、左端から１つ右側の光源ユニット２のＬＥＤ素子５ａ、５ｂ、５ｃ・・５ｚの順に点灯される。各ＬＥＤ素子５ａ、５ｂ、５ｃ・・５ｚが点灯する時間のタイミングのずれ、及び各ＬＥＤ素子５ａ、５ｂ、５ｃ・・５ｚの点灯継続時間は、各ＬＥＤ素子からの照射光によって照明される部分が連続的に移動するように見える適宜の時間に設定される。
【００１５】
プリズム部材７は、両端の３つのＬＥＤ素子５ａ、５ｂ、５ｃ、５ｘ、５ｙ、５ｚの上方を覆うようにして設けられ、ＬＥＤ素子５ａ、５ｂ、５ｃ、５ｘ、５ｙ、５ｚから照射されて上方へ向かう光Ｌａ、Ｌｂ、Ｌｃ、Ｌｘ、Ｌｙ、Ｌｚを光源ユニット２の端部の長手方向外側へ向けて屈曲する。プリズム部材７によって覆われない中央部の各ＬＥＤ素子５ｄ・・５ｗからの照射光Ｌｄ・・Ｌｗは、略垂直上方へ向かう。なお、プリズム部材７は、単一のプリズム板から構成されるものであってもよいし、適宜の光学部材を組み合わせて、ＬＥＤ素子５ａ、５ｂ、５ｃ、５ｘ、５ｙ、５ｚからの照射光Ｌａ、Ｌｂ、Ｌｃ、Ｌｘ、Ｌｙ、Ｌｚが光源ユニット２の外側へ向けて屈曲するように構成した光偏向素子であってもよい。
【００１６】
本実施形態の照明装置１は、例えば、図３に示されるように、壁Ｗと床Ｆの間に、４つの光源ユニット２ａ、２ｂ、２ｃ、２ｄが配置される。本例では各光源ユニット２ａ、２ｂ、２ｃ、２ｄの長手方向長さが３０ｃｍ、各光源ユニットを接続するコード８が長さ約２０ｃｍに構成され、約２ｍの幅を有する壁Ｗに対して各光源ユニット２ａ、２ｂ、２ｃ、２ｄのＬＥＤ素子５ａ、５ｂ、５ｃ・・５ｚからの光が斜め下方から照射されるように構成されている。
【００１７】
照明装置１が上記のように配置された状態でユーザがスイッチをオンして点灯を開始すると、各光源ユニット２ａ、２ｂ、２ｃ、２ｄのＬＥＤ素子５ａ、５ｂ、５ｃ・・５ｚが順に送り点灯されるが、各光源ユニット２ａ、２ｂ、２ｃ、２ｄの長手方向端部のＬＥＤ素子５ａ、５ｂ、５ｃ、５ｘ、５ｙ、５ｚからの光Ｌａ、Ｌｂ、Ｌｃ、Ｌｘ、Ｌｙ、Ｌｚは、各光源ユニット２ａ、２ｂ、２ｃ、２ｄの長手方向外側へ向かって照射されるので、光源ユニット２ａ、２ｂ、２ｃ、２ｄ同士が離間していても、照射光Ｌａ、Ｌｂ・・Ｌｚによって照明される部分は連続して移動していくように見える。
【００１８】
具体的には、図３における光源ユニット２ａのＬＥＤ素子５ａ、５ｂ、５ｃ・・５ｚが順に送り点灯され、次に光源ユニット２ｂのＬＥＤ素子５ａ、５ｂ・・が点灯を開始するときに、光源ユニット２ａの最後の３つのＬＥＤ素子５ｘ、５ｙ、５ｚからの照射光Ｌｘ、Ｌｙ、Ｌｚが送り点灯方向の前方側へ向けられているために光源ユニット２ａの斜め前方の壁領域Ｗａまで照明し、続く光源ユニット２ｂのＬＥＤ素子５ａ、５ｂ、５ｃからの照射光Ｌａ、Ｌｂ、Ｌｃが送り点灯方向の後方側へ向けられているために光源ユニット２ｂの斜め後方の壁領域Ｗａを照明し、光源ユニット２ａと光源ユニット２ｂの間に相当する壁領域Ｗａが両方の光源ユニット２ａ、２ｂによって相前後して照明されるので、光源ユニット２ａ、２ｂ同士が離間していても、照射光Ｌａ、Ｌｂ・・Ｌｚによる照明部分が、次々に連続して移動していくように見える。光源ユニット２ｂ、２ｃの間の壁領域Ｗｂ、及び光源ユニット２ｃ、２ｄの間の壁領域Ｗｃについても同様である。
【００１９】
なお、プリズム部材７（外方照射手段）を光屈曲特性が異なるものに変更することによって、各照射光Ｌａ、Ｌｂ、Ｌｃ、Ｌｘ、Ｌｙ、Ｌｚがプリズム部材７によって屈曲される角度を変更し、前後の光源ユニット２ａ、２ｂの両方によって照明される壁領域Ｗａの大きさを光源ユニット２ａ、２ｂ間の離間距離に応じたものにすることができる。例えば、光源ユニット２同士の離間距離が短い場合には、プリズム部材７（外方照射手段）の光屈曲特性が比較的小さいものに設定して、前後の光源ユニット２ａ、２ｂの両方によって照明される壁領域Ｗａの大きさを比較的小さいものに設定することができる。逆に光源ユニット２同士の離間距離が長い場合には、プリズム部材７（外方照射手段）の光屈曲特性が比較的大きいものに設定して、前後の光源ユニット２ａ、２ｂの両方によって照明される壁領域Ｗａの大きさを比較的大きいものに設定することができる。
【００２０】
（第２の実施形態）
本発明の第２の実施形態に係る照明装置について、図４を参照して説明する。第２の実施形態の照明装置１の光源ユニット２は、第１の実施形態と略同一の構成を備え、同一構成部分については、同一番号を付して説明を省略する。第２の実施形態の光源ユニット２が第１の実施形態の光源ユニット２に対して異なる点は、外方照射手段が、プリズム部材７ではなく、光源ユニット２自体の長手方向端部の上面が外方向に傾けられて構成されている点である。
【００２１】
具体的には、図４に示されるように、筐体３が正面視において細長い台形に形成され、筐体３の上面を構成するプリント基板４の両端４ａ、４ｂが、光源ユニット２の長手方向に沿った外方向に傾斜されている。各ＬＥＤ素子５ａ、５ｂ、５ｃ・・５ｚは、光照射方向がプリント基板４、４ａ、４ｂの面に対して直角になるようにして設けられている。
【００２２】
本実施形態の光源ユニット２は、外方照射手段が上記のように構成されるので、プリズム部材７等の別部材を備える必要がなく、構造が簡単であり低コストで製造することができる。本実施形態の照明装置１の作用については、第１の実施形態と同一であるので説明を省略する。
【００２３】
なお、プリント基板４の両端４ａ、４ｂは、中央部のプリント基板との間において平面が交わるようにして傾斜されるのではなく、図５に示されるように曲線を描いて傾斜されるように構成してもよい。この場合には、曲線を描いて傾斜された両端部分のＬＥＤ素子５ａ〜５ｄ、５ｗ〜５ｚによって照射される光Ｌａ〜Ｌｄ、Ｌｗ〜Ｌｚの傾斜角度が、外側へ向かうに連れて徐々に大きくなるので、照射光Ｌａ〜Ｌｄ、Ｌｗ〜Ｌｚによって照明される部分の間隔が急に拡大することがなく、各照射光Ｌａ、Ｌｂ・・Ｌｚによって照明される部分がより円滑に連続して見える。
【図面の簡単な説明】
【００２４】
【図１】本発明の第１の実施形態に係る照明装置の斜視図。
【図２】同照明装置における光源ユニットの平面図。
【図３】同照明装置が壁と床の間に配置された状態における照明態様を説明する図。
【図４】本発明の第２の実施形態に係る照明装置の斜視図。
【図５】同照明装置における光源ユニットの変形例を示す一部切欠き正面図。
【図６】従来の照明装置が壁面に沿って配置され、点光源が送り点灯されるときの照明態様を説明する側面図。
【符号の説明】
【００２５】
１  照明装置
２、２ａ、２ｂ、２ｃ、２ｄ  光源ユニット
４ａ、４ｂ  プリント基板端部（上面）
５ａ、５ｂ・・５ｚ  ＬＥＤ素子（点光源）
７  プリズム部材（外方照射手段、光偏向素子）
Ｌａ、Ｌｂ・・Ｌｚ  照射光
【図１】
0004943964.tif 000002
【図２】
0004943964.tif 000003
【図３】
0004943964.tif 000004
【図４】
0004943964.tif 000005
【図５】
0004943964.tif 000006
【図６】
0004943964.tif 000007